(57)【要約】      （修正有）【課題】間欠運転しても性能及び効率を共に満足し得る中空糸膜を用いたドライヤ装置を具備する除湿空気の間欠供給装置を提供する。【解決手段】ドライヤ装置によって除湿した除湿圧縮空気を、ユーザに間欠的に供給する除湿空気の間欠供給装置において、該ドライヤ装置として中空糸膜を具備するドライヤ装置１０が用いられ、除湿圧縮空気を貯留する貯留タンク３０とドライヤ装置１０との間に、中空糸膜の性能を維持する最小流量の除湿圧縮空気を常時供給する第１パージ配管３４ａと、制御弁３８が開いたとき、第１パージ配管３４ａよりも多量の除湿圧縮空気をドライヤ装置１０に供給し得る第２パージ配管３４ｂとが設けられ、貯留タンク３０とユーザとの間に設けられ、ユーザでの除湿空気の使用開始を検知して検知信号を発信するフローセンサ５０からの検知信号を受信して制御弁３８を開とする開信号を発信する制御部とが設けられていることを特徴とする。【選択図】        図１
2006095505.tif 000002
【特許請求の範囲】
【請求項１】
間欠運転されるユーザの間欠的な除湿空気の使用に合わせて、コンプレッサーから供給された圧縮空気をドライヤ装置によって除湿した除湿圧縮空気を、前記ユーザに間欠的に供給する除湿空気の間欠供給装置において、
該ドライヤ装置として、複数本の中空糸膜が束ねられて集束された中空糸膜集束体を収容するケースに、前記中空糸集束体の一端側に、前記コンプレッサーから圧縮空気を供給する圧縮空気供給口と、前記中空糸集束体の一端側に供給された圧縮空気が前記中空糸膜内を流れて除湿され、前記中空糸集束体の他端側から流出した除湿圧縮空気を集合して吐出する除湿空気吐出口と、前記除湿圧縮空気の一部を中空糸膜の外周面に沿って流すパージ空気として供給するパージ空気供給口とを具備する中空糸膜ドライヤ装置が用いられ、
前記中空糸膜ドライヤ装置から吐出された除湿圧縮空気を貯留する貯留タンクと、前記ユーザでの除湿空気の使用が停止したとき、前記中空糸膜の性能を維持する最小流量の除湿圧縮空気を前記貯留タンクからパージ空気供給口に供給する第１パージ配管と、途中に設けられた制御弁が開いたとき、前記第１パージ配管よりも多量の除湿圧縮空気を前記中空糸膜ドライヤ装置の除湿空気吐出口側の配管又は貯留タンクから前記パージ空気供給口に供給し得る第２パージ配管とが設けられ、
前記貯留タンクとユーザとの間の配管に設けられ、前記ユーザでの除湿空気の使用開始を検知して検知信号を発信するセンサと、前記センサからの検知信号を受信して前記第２パージ配管に設けられている制御弁を開とする開信号を発信する制御部とが設けられていることを特徴とする除湿空気の間欠供給装置。
【請求項２】
第１パージ配管には、ユーザでの除湿空気の使用・停止にかかわらず、中空糸膜の性能を維持する最小流量の除湿圧縮空気が常時供給されている請求項１記載の除湿空気の間欠供給装置。
【請求項３】
第１パージ配管の一端が、中空糸膜ドライヤ装置と貯留タンクとの間の配管に接続されている請求項１又は請求項２記載の除湿空気の間欠供給装置。
【請求項４】
第１パージ配管の一端が、センサとユーザとの間の配管に接続されている請求項１又は請求項２記載の除湿空気の間欠供給装置。
【請求項５】
貯留タンクとセンサとの間に、前記貯留タンクに貯留された除湿圧縮空気の圧力をユーザでの使用圧力に調整するレギュレータが設けられている請求項１〜４のいずれか一項記載の除湿空気の間欠供給装置。
【請求項６】
センサが、配管内の除湿空気の所定方向への流れを検知するフローセンサである請求項１〜５のいずれか一項記載の除湿空気の間欠供給装置。
【請求項７】
コンプレッサーの直近に、前記コンプレッサーから供給された圧縮空気を貯留する圧縮空気貯留タンクが設けられている請求項１〜６のいずれか一項記載の除湿空気の間欠供給装置。
【発明の詳細な説明】
【技術分野】
【０００１】
本発明は除湿空気の間欠供給装置に関し、更に詳細には間欠運転されるユーザの間欠的な除湿空気の使用に合わせて、コンプレッサーから供給された圧縮空気をドライヤ装置によって除湿した除湿圧縮空気を、前記ユーザに間欠的に供給する除湿空気の間欠供給装置に関する。
【背景技術】
【０００２】
除湿空気を間欠的に用いる装置・器具としては、例えば、蝕歯質を切除する切削や治療患部を水と空気とで洗浄乾燥等を施す歯科用治療器具を上げることができる。かかる歯科用治療器具に除湿空気を供給する除湿空気の供給装置としては、従来、冷凍式除湿装置が用いられていた。
しかし、冷凍式除湿装置には、冷媒としてフロンが使用されおり、フロンはオゾン層を破壊する原因物質である。また、オゾン層を破壊しない代替フロンも開発されつつあるが、現在までのところ、代替フロンは赤外線の吸収能を有し、地球温暖化の原因物質となり得るものである。従って、地球環境の保存の観点から冷凍式除湿装置を用いた除湿空気の供給装置は、歯科用除湿空気の供給装置として好ましくない。
一方、冷媒を用いることなく圧縮空気を除湿し得る除湿装置としては、中空糸膜を用いたドライヤ装置が用いられている。このドライヤ装置では、中空糸膜の内側を水分含有の圧縮空気を流し、中空糸膜の外面に沿って除湿空気を流すことによって、両流体間の水蒸気分圧差に基いて圧縮空気中の水分を除湿空気側に移動して除湿するものである。
【０００３】
中空糸膜を用いたドライヤ装置では、冷媒を必要としないため、地球環境の保存の観点からは、歯科用除湿空気の供給装置としては好ましい。
しかしながら、中空糸膜の外面に沿って流す除湿空気は、中空糸膜内を流れる圧縮空気中の水分を含有して装置外に排出されるパージ除湿空気である。このため、かかるパージ除湿空気を可及的に少なくすることが、中空糸膜を用いたドライヤ装置の効率面からは必要である。
特に、歯科用治療器具では、除湿空気を間欠的に用いるため、除湿空気を使用しない間のパージ除湿空気量が、中空糸膜を用いたドライヤ装置の性能面及び効率面から重要である。
【０００４】
除湿空気を間欠的に用いるユーザに除湿空気を間欠的に供給する除湿空気の間欠供給装置として、中空糸膜を用いたドライヤ装置を用いた除湿空気の間欠供給装置は、下記特許文献１に提案されている。
この特許文献１で提案された除湿空気の間欠供給装置を図９に示す。図９に示す除湿の間欠供給装置は、ペンキ塗布等に用いられるスプレーガン１００に除湿空気を間欠的に供給する間欠供給装置であって、コンプレッサー１０２及びその直下のタンク１０３からの圧縮空気は、中空糸膜を用いたドライヤ装置１０４に供給される。ドライヤ装置１０４は、複数本の中空糸膜が束ねられて集束された中空糸膜集束体１０６の両端部がケース１０８に固着されており、中空糸膜集束体１０６の下端部側に形成された下端室１１０に供給された圧縮空気は中空糸膜集束体１０６の各中空糸膜内を通過しつつ除湿され、中空糸膜集束体１０６の上端部側に形成された上端室１１２から除湿圧縮空気が吐出される。
吐出された除湿圧縮空気の殆どは、配管１１４を経由してタンク１１６に貯留されてからスプレーガン１００に供給される。
一方、吐出された除湿圧縮空気の一部は、配管１１４に一端部が接続されたパージ配管１１８からケース１０８内に供給され、中空糸膜集束体１０６の各中空糸膜の外面に沿って流れて中空糸膜内を流れる圧縮空気中の水分と共に、排出配管１２０から外部に排出される。
【０００５】
図９に示す除湿空気の間欠供給装置では、タンク１０３に圧力スイッチ（図示せず）が設けられており、タンク１０３の圧力が圧力スイッチの上限値に到達したとき、コンプレッサー１０２の運転が停止され、他方、タンク１０３の圧力が圧力スイッチの下限値に到達したとき、コンプレッサー１０２の運転が再開される。
更に、パージ配管１１８の接続された箇所とタンク１１６との間の配管１１４に制御弁１２２が設けられており、排出配管１２０にも制御弁１２６が設けられている。かかる制御弁１２２，１２６は、いずれもタンク１１６に設けられた圧力スイッチ１２４の上限信号によって閉じられる。
このため、スプレーガン１００の運転が停止されたとき、除湿空気が使用されないため、タンク１０３の圧力が圧力スイッチの上限値に到達してコンプレッサー１０２が停止される。同時に、タンク１１６の圧力が圧力スイッチ１２４の上限値に達し、圧力スイッチ１２４から発信される信号に基づいて制御弁１２２，１２６が閉じられる。
従って、ドライヤ装置１０４の運転が停止されると共に、パージ配管１１８を経由してドライヤ装置１０４に供給されていたパージ空気の供給も停止される。
一方、スプレーガン１００の運転が再開されたとき、タンク１１６の圧力が低くなって圧力スイッチ１２４の上限値以下となり、圧力スイッチ１２４から発信される信号が停止し、制御弁１２２，１２６が開かれてパージ配管１１８を経由してドライヤ装置１０４にパージ空気の供給が再開される。同時に、タンク１０３の圧力が圧力スイッチの下限値に到達してコンプレッサー１０２の運転が再開されて、ドライヤ装置１０４の運転が再開される。
【特許文献１】特開平７−５４７７４号公報（〔００５２〕〜〔００５７〕、図６）
【発明の開示】
【発明が解決しようとする課題】
【０００６】
図９に示す除湿空気の間欠供給装置によれば、除湿空気を用いるユーザが運転停止状態のときには、パージ空気の供給も停止してドライヤ装置１０４の運転を停止する。このため、ユーザが運転停止状態でもパージ空気をドライヤ装置１０４に供給する場合に比較して、ドライヤ装置１０４の効率を向上できるようにも考えられる。
しかしながら、中空糸膜を用いたドライヤ装置では、中空糸膜の内外の水蒸気分圧差に基いて除湿するものであるため、ドライヤ装置の運転停止中に中空糸膜の外面側に空気が滞留して水蒸気分圧が高くなると、ドライヤ装置の運転が再開したとき、ドライヤ装置の所定の除湿能力が充分に発揮されず、所定の露点温度の除湿空気を得ることができないおそれがある。
このため、中空糸膜の外面側に滞留していたパージ空気を可及的に速やかに排出すべく、大量のパージ空気をケース１０８内に供給することを要するため、パージ空気量が必要量以上に増加し、結果的に効率が低下する可能性がある。
そこで、本発明の課題は、間欠運転しても性能及び効率を共に満足し得る中空糸膜を用いたドライヤ装置を具備する除湿空気の間欠供給装置を提供することにある。
【課題を解決するための手段】
【０００７】
本発明者等は、中空糸膜を用いたドライヤ装置から除湿圧縮空気が吐出されない運転停止状態であっても、中空糸膜の外面側の雰囲気を中空糸膜内に供給される圧縮空気中の水蒸気分圧よりも低く保持するに必要な最小流量のパージ空気を、中空糸膜の外面に沿って流しておくことによって、ドライヤ装置の運転開始直後から所定の露点温度の除湿空気を得ることができることを知った。
更に、本発明者等は、ドライヤ装置の運転中には、中空糸膜内に供給される圧縮空気量が多くなるため、ドライヤ装置の運転停止中に流すパージ空気量よりも多量のパージ空気を必要とすることも知り、本発明に到達した。
【０００８】
すなわち、本発明は、間欠運転されるユーザの間欠的な除湿空気の使用に合わせて、コンプレッサーから供給された圧縮空気をドライヤ装置によって除湿した除湿圧縮空気を、前記ユーザに間欠的に供給する除湿空気の間欠供給装置において、該ドライヤ装置として、複数本の中空糸膜が束ねられて集束された中空糸膜集束体を収容するケースに、前記中空糸集束体の一端側に、前記コンプレッサーから圧縮空気を供給する圧縮空気供給口と、前記中空糸集束体の一端側に供給された圧縮空気が前記中空糸膜内を流れて除湿され、前記中空糸集束体の他端側から流出した除湿圧縮空気を集合して吐出する除湿空気吐出口と、前記除湿圧縮空気の一部を中空糸膜の外周面に沿って流すパージ空気として供給するパージ空気供給口とを具備する中空糸膜ドライヤ装置が用いられ、前記中空糸膜ドライヤ装置から吐出された除湿圧縮空気を貯留する貯留タンクと、前記ユーザでの除湿空気の使用が停止したとき、前記中空糸膜の性能を維持する最小流量の除湿圧縮空気を前記貯留タンクからパージ空気供給口に供給する第１パージ配管と、途中に設けられた制御弁が開いたとき、前記第１パージ配管よりも多量の除湿圧縮空気を前記中空糸膜ドライヤ装置の除湿空気吐出口側の配管又は貯留タンクから前記パージ空気供給口に供給し得る第２パージ配管とが設けられ、前記貯留タンクとユーザとの間の配管に設けられ、前記ユーザでの除湿空気の使用開始を検知して検知信号を発信するセンサと、前記センサからの検知信号を受信して前記第２パージ配管に設けられている制御弁を開とする開信号を発信する制御部とが設けられていることを特徴とする除湿空気の間欠供給装置にある。
【０００９】
かかる本発明において、第１パージ配管に、ユーザでの除湿空気の使用・停止にかかわらず、中空糸膜の性能を維持する最小流量の除湿圧縮空気を常時供給することによって、第１パージ配管の流量調整機構を簡素化できる。
この第１パージ配管の一端を、中空糸膜ドライヤ装置と貯留タンクとの間の配管に接続しても、センサとユーザとの間の配管に接続しても、ユーザでの除湿空気の使用が停止したとき、必要量の除湿圧縮空気を貯留タンクからパージ空気供給口に供給できる。
また、貯留タンクとセンサとの間に、前記貯留タンクに貯留された除湿圧縮空気の圧力をユーザでの使用圧力に調整するレギュレータを設けることによって、センサとユーザとの間にレギュレータを設けた場合と比較して、センサを通過する除湿空気量が増加するため、ユーザでの除湿空気の使用開始をセンサによって容易に検知できる。
このセンサとしては、配管内の除湿空気の所定方向への流れを検知するフローセンサを用いることが、ユーザでの除湿空気の使用開始を更に一層容易に検知できる。
更に、コンプレッサーの直近に、前記コンプレッサーから供給された圧縮空気を貯留する圧縮空気貯留タンクを設けることによって、第１パージ配管を経由してドライヤ装置にパージ空気として消費される除湿空気を補充でき、ユーザでの除湿空気の使用停止時間が長引いても、使用再開したユーザに対し所定圧力の除湿空気を所定量供給できる。
【発明の効果】
【００１０】
本発明に係る除湿空気の間欠供給装置によれば、ユーザでの除湿空気の使用停止期間内は、中空糸膜の性能を維持する最小流量の除湿圧縮空気が第１パージ配管を経由してパージ空気として供給されているため、ユーザでの除湿空気の使用が再開されたとき、ドライヤ装置は直ちに所定の性能を発揮できる。
更に、ユーザでの除湿空気の使用が再開された際に、第１パージ配管及び第２パージ配管を経由して、使用される除湿空気量に適合した量の除湿空気がパージ空気としてドライヤ装置に供給されるため、所定量の除湿空気をユーザに供給できる。
このため、ユーザでの除湿空気の使用が再開された際には、ユーザに所定の露点の除湿空気を所定量供給できる。
また、ユーザでの除湿空気の使用停止期間内にドライヤ装置に供給されるパージ空気は、中空糸膜の性能を維持する最小流量であるため、除湿装置の供給装置の全体的な効率を低下させることがない。
【発明を実施するための最良の形態】
【００１１】
本発明に係る除湿空気の間欠供給装置の一例を図１に示す。図１に示す除湿空気の供給装置では、コンプレッサー２０から供給された圧縮空気は、ドライヤ装置１０によって除湿されて除湿圧縮空気となって貯留タンク３０に貯留される。貯留タンク３０に貯留された除湿圧縮空気は、レギュレータ４０によって使用する歯科用治療器具等の間欠運転されるユーザに用いる圧力に調圧され、フローセンサ５０及びファイナルフィルター６０を通過してユーザに供給される。
コンプレッサー２０の直下には、コンプレッサー２０から供給された圧縮空気を貯留する圧縮空気貯留タンク２４が設けられており、圧縮空気貯留タンク２４には、圧力センサ（図示せず）が設けられている。圧縮空気貯留タンク２４の圧力が圧力センサの上限に到達したとき、コンプレッサー２０が停止され、圧縮空気貯留タンク２４の圧力が圧力センサの下限に到達したとき、コンプレッサー２０は駆動される。
かかるコンプレッサー２０及び圧縮空気貯留タンク２４からの圧縮空気をドライヤ装置１０に供給する供給配管２１には、圧縮空気中の水滴を除去するラインフィルタ２６及び油滴を除去するオイルミストフィルタ２８が設けられ、ドライヤ装置１０内に水滴や油滴が入ることを防止している。
【００１２】
図１に示すドライヤ装置１０としては、図２に示す中空糸膜から成る中空糸膜ドライヤ装置１０が用いられている。この図２に示す中空糸膜ドライヤ装置１０（以下、単にドライヤ装置１０と称することがある）には、複数本の中空糸膜１２，１２・・が束ねられて集束された中空糸膜集束体を収容するケース１４に、中空糸集束体の一端部１３ｂにコンプレッサー２０から圧縮空気を供給する圧縮空気供給口１６と、中空糸集束体の一端部１３ｂに供給された圧縮空気が中空糸膜１２の内部１２ａを流れて除湿され、中空糸集束体の他端部１３ａから流出した除湿圧縮空気を集合して吐出する除湿空気吐出口１８とが設けられている。
更に、ドライヤ装置１０のケース１４には、除湿空気吐出口１８から吐出された除湿圧縮空気の一部を中空糸膜１２の外周面に沿って流すパージ空気を供給するパージ空気供給口２５と、パージ空気を排出する排出口２２とが形成されている。
【００１３】
図２に示すパージ空気供給口２５には、図１に示す様に、ドライヤ装置１０の除湿空気吐出口１８から吐出された除湿圧縮空気を貯留タンク３０に供給する配管３２に、一端が接続された第１パージ配管３４ａと第２パージ配管３４ｂとの各他端が接続されている。更に、第２パージ配管３４ｂには、制御弁３８が設けられている。
かかる第１パージ配管３４ａと第２パージ配管３４ｂとの各々には、オリフィス３６ａ，３６ｂが設けられている。このオリフィス３６ａ，３６ｂのうち、オリフィス３６ａは、中空糸膜１２の性能を維持し得る最小流量の除湿圧縮空気を第１パージ配管３４ａに流すことができるように調整されている。このため、第１パージ配管３４ａでは、中空糸膜１２の性能を維持し得る最小流量の除湿圧縮空気をパージ空気供給口２５に供給する。
一方、オリフィス３６ｂは、オリフィス３６ａよりも多量の除湿圧縮空気を第２パージ配管３４ｂに流すことができるように調整されており、ドライヤ装置１０が運転再開された際に、第１パージ配管３４ａのみでは不足する除湿圧縮空気を第２パージ配管３４ｂによってパージ空気供給口２５に供給できる。
【００１４】
貯留タンク３０は、錆等の発生しない材料、例えばステンレスや内面に樹脂をライニングした鉄材を用いて形成でき、レギュレータ４０は市販されているものを用いることができる。
また、フローセンサ５０は、歯科用治療器具等のユーザでの除湿空気の使用開始を検知して検知信号を発信するセンサであって、レギュレータ４０とファイナルフィルター６０との間の配管４２内の除湿空気がユーザ方向に流れ始めたことを検知する。
かかるフローセンサ５０を図３に示す。フローセンサ５０は、管内を所定量以上の除湿空気が流れることを機械式で検知する機械式フローセンサであって、配管４２に接続された管５２の内部にフラッパー５４の先端が回動可能に設けられている。このフラッパー５４の先端部に磁石５６が固着されており、矢印Ａ方向からの除湿空気によってフラッパー５４の先端と共に回動する。
フラッパー５４の先端部に設けられた磁石５６が、矢印Ａ方向からの除湿空気によって近接する管５２の内壁面に対応する外周面側には、リードスイッチ５８が設けられており、リードスイッチ５８に磁石５６が近接したとき、リードスイッチ５８から制御部（図１）に検知信号が発信される。
リードスイッチ５８から検知信号を受信した制御部は、第２パージ配管３４ｂに設けられている制御弁３８に対し開信号を発信する。
【００１５】
図３に示すフローセンサ５０は、レギュレータ４０とファイナルフィルター６０との間に設置されているため、貯留タンク３０に貯留された除湿圧縮空気の圧力をレギュレータ４０によって歯科用治療器具等のユーザでの使用圧力に調整された除湿空気の流動を検知できる。このため、フローセンサ５０とファイナルフィルター６０との間にレギュレータ４０を設けた場合と比較して、フローセンサ５０を通過する除湿空気量が増加し、ユーザでの除湿空気の使用開始をフローセンサ５０によって容易に検知できる。
また、ファイナルフィルター６０には、図４に示す様に、微細孔が多数個形成された中空糸６２，６２・・から成る除菌フィルターが設けられている。このため、除湿空気中に細菌が存在しても、ユーザとして用いた歯科用治療器具から患者の口腔内に入ることを防止できる。
【００１６】
図１〜図４に示す除湿空気の間欠供給装置は、図５に示す様に、コンパクトに組み立てることができる。図５に示す除湿装置の供給装置は、架台７０上に貯留タンク３０とパネル７２が設けられている。
かかるパネル７２内には、図６に示す様に、ラインフィルタ２６、オイルミストフィルタ２８、ドライヤ装置１０、第１パージ配管３４ａ、第２パージ配管３４ｂ、制御弁３８、レギュレータ４０、フローセンサ５０及びファイナルフィルター６０が組み込まれている。
尚、コンプレッサー２０及び圧縮空気貯留タンク２４は、別の場所に設置されている。
【００１７】
図１〜図６に示す除湿空気の間欠供給装置を用いて歯科用治療器具等のユーザに除湿空気を供給する際には、コンプレッサー２０及び圧縮空気貯留タンク２４から供給された圧縮空気は、ラインフィルタ２６及びオイルミストフィルタ２８を通過して水滴及び油滴を除去した後、ドライヤ装置１０の中空糸膜１２，１２・・の内部を通過して除湿され、除湿圧縮空気としてドライヤ装置１０から吐出される。この除湿圧縮空気は、その一部が第１パージ配管３４ａ及び第２パージ配管３４ｂを経由してドライヤ装置１０の中空糸膜１２，１２・・の外面に沿って流され外部に排出され、その残余の除湿圧縮空気は貯留タンク３０に貯留される。貯留タンク３０の除湿圧縮空気は、レギュレータ４０によってユーザの使用圧力に調整された後、フローセンサ５０及びファイナルフィルター６０を通過してユーザに供給される。
ここで、ユーザでの除湿空気の使用が停止されたとき、圧縮空気貯留タンク２４の圧力が上昇し圧力センサの上限に到達するため、コンプレッサー２０は停止され、ドライヤ装置１０の運転は停止状態となる。
同時に、フローセンサ５０からの検知信号が消滅し、制御部からの制御弁３８に対する開信号も発信されなくなって制御弁３８は閉じる。このため、ドライヤ装置１０への除湿圧縮空気の供給は、貯留タンク３０から第１パージ配管３４ａを経由してのみなされ、運転停止中のドライヤ装置１０において、その中空糸膜１２の性能を維持し得る最小流量のパージ空気を流すことができる。
従って、ユーザでの除湿空気の使用が再開されたとき、直ちに所定の露点の除湿空気を供給できる。
更に、ドライヤ装置１０の運転停止中には、中空糸膜１２の性能を維持し得る最小流量のパージ空気であるため、ドライヤ装置１０の運転停止中にもパージ空気を流すことに因る効率低下を可及的に少なくできる。
【００１８】
ユーザでの除湿空気の使用停止時間が長いと、貯留タンク３０の圧力が低下する場合がある。この場合、圧縮空気貯留タンク２４の圧縮空気がドライヤ装置１０に供給され、貯留タンク３０の圧力を可及的に一定に保持できる。
更に、ユーザでの除湿空気の使用停止時間が長くなる場合には、圧縮空気貯留タンク２４の圧力が低下し圧力センサの下限に到達するため、コンプレッサー２０は一次的に再起動され、圧縮空気貯留タンク２４の圧力を圧力センサの上限とすることができる。
【００１９】
図１〜図６に示す除湿空気の間欠供給装置では、第１パージ配管３４ａの一端部は、ドライヤ装置１０と貯留タンク３０との間の配管３２に接続されているが、図７に示す様に、フローセンサ５０とファイナルフィルター６０との間の配管７４に第１パージ配管３４ａの一端部を接続してもよい。
この場合、ユーザで除湿空気の使用を開始した際に、フローセンサ５０を通過する除湿空気量として、第１パージ配管３４ａに供給する除湿空気量分が増加しているため、フローセンサ５０を通過する除湿空気量が検知限界値に短時間で到達する。このため、ユーザでの除湿空気の使用開始をフローセンサ５０によって更に容易に検知できる。
【００２０】
ところで、図７に示す第１パージ配管３４ａの一端部が接続された配管７４に供給される除湿空気は、レギュレータ４０によってユーザでの使用圧力に調整されているため、ドライヤ装置１０と貯留タンク３０との間の配管３２に一端部が接続されている第２パージ配管３４ａに供給される除湿圧縮空気よりも低圧である。
しかし、ドライヤ装置１０の中空糸膜１２，１２・・の外面側は大気圧に略等しいため、第１パージ配管３４ａのオリフィス３６ａ及び第２パージ配管３４ｂのオリフィス３６ｂのドライヤ装置１０側も略大気圧に等しく、第２パージ配管３４ｂから第１パージ配管３４ａに除湿圧縮空気が流れることはない。
また、第２パージ配管３４ａの一端部も、図８に示す様に、貯留タンク３０とレギュレータ４０との間の配管７６に接続してもよい。
以上の説明では、間欠運転されるユーザとして、歯科用治療器具を例示して説明したが、ペンキ塗布等に用いられるスプレーガンであってもよく、除湿空気を間欠的に使用する装置・器具であればよい。
尚、図７及び図８において、図１〜図６に示す除湿空気の供給装置を構成する部材と同一の部材については、同一番号を付して詳細な説明を省略した。
【図面の簡単な説明】
【００２１】
【図１】本発明に係る除湿空気の間欠供給装置の一例を示す概略図である。
【図２】図１に示すドライヤ装置１０を説明する断面図である。
【図３】図１に示すフローセンサ５０を説明する断面図である。
【図４】図１に示すファイナルフィルター６０を説明する断面図である。
【図５】図１に示す間欠供給装置の本体の外観を示す正面図である。
【図６】図１に示す間欠供給装置の組立図である。
【図７】本発明に係る除湿空気の間欠供給装置の他の例を示す概略図である。
【図８】本発明に係る除湿空気の間欠供給装置の他の例を示す概略図である。
【図９】従来の除湿空気の間欠供給装置を説明する説明図である。
【符号の説明】
【００２２】
１０  ドライヤ装置
１２  中空糸膜
１２ａ  内部
２０  コンプレッサー
２４  圧縮空気貯留タンク
２５  パージ空気供給口
３０  貯留タンク
３４ａ  第１パージ配管
３４ｂ  第２パージ配管
３６ａ、３６ｂ  オリフィス
３８  制御弁
４０  レギュレータ
５０  フローセンサ
【図１】
2006095505.tif 000003
【図２】
2006095505.tif 000004
【図３】
2006095505.tif 000005
【図４】
2006095505.tif 000006
【図５】
2006095505.tif 000007
【図６】
2006095505.tif 000008
【図７】
2006095505.tif 000009
【図８】
2006095505.tif 000010
【図９】
2006095505.tif 000011